(57)【要約】【課題】安価に構成可能であると共に、ハンマーなどの打撃操作で簡単に且つ強固に既存のスレート屋根板上に取付できる屋根材取付装置を提供すること。【解決手段】屋根材２を支持固定し得るフレーム体３を、波形スレート屋根板１上に載置し得るように構成し、このフレーム体３には、波形スレート屋根板１を固定している既存のフックボルト４を挿通する取付開口部６を備えると共に、この取付開口部６の開口径をフックボルト４の外径より大径に設定し、この取付開口部６に挿通して上方へ突出せしめたフックボルト４に被嵌する打撃用筒体７を備え、この打撃用筒体７の筒径を前記取付開口部６の開口径と同径若しくは取付開口部６の開口径より大径に設定する。【選択図】図２
2007204958.tif 000002
【特許請求の範囲】
【請求項１】
屋根面を構成している既設の波形スレート屋根板上に、被覆状態に屋根材を設ける波形スレート屋根板に設ける屋根材取付装置であって、前記屋根材を支持固定し得るフレーム体を、前記波形スレート屋根板上に載置し得るように構成し、このフレーム体には、波形スレート屋根板を固定している既存のフックボルト若しくはフックボルトに装着された締付ナットを挿通する取付開口部を備えると共に、この取付開口部の開口径をフックボルトの外径若しくは締付ナットの外径よりも大径に設定し、この取付開口部に挿通して取付開口部より上方へ突出せしめた前記フックボルト若しくは締付ナットに被嵌する打撃用筒体を備え、この打撃用筒体の筒径を前記取付開口部の開口径と同径若しくは取付開口部の開口径より大径に設定して、このフックボルト若しくは締付ナットに被嵌した打撃用筒体を下方へ打撃することにより、この打撃用筒体で取付開口部の開口周辺部を打撃して取付開口部の開口径を縮小変形させ、この変形させた取付開口部の開口縁がフックボルトの外周面若しくは締付ナットの外周面に係止若しくは圧接して抜け止めする構成としたことを特徴とする波形スレート屋根板に設ける屋根材取付装置。
【請求項２】
前記フレーム体の上部であって前記取付開口部の上方位置に架設部を設け、この架設部に前記打撃用筒体を挿通するガイド孔を形成し、このガイド孔に打撃用筒体を挿通した際、打撃用筒体の上部が架設部の上方に突出するように打撃用筒体の長さ寸法を設定し、この架設部より上方に突出する打撃用筒体の上部に打撃部を設けて、この打撃部を、打撃用筒体がガイド孔に挿通ガイドされた状態で打撃し得るように構成したことを特徴とする請求項１記載の波形スレート屋根板に設ける屋根材取付装置。
【請求項３】
前記打撃用筒体の長さ寸法を、この打撃用筒体を前記フックボルト若しくは前記締付ナットに被嵌した際にこの打撃用筒体の上方へフックボルトの上端部若しくは締付ナットの上端部が露出しない長さ寸法に設定したことを特徴とする請求項１，２のいずれか１項に記載の波形スレート屋根板に設ける屋根材取付装置。
【請求項４】
前記取付開口部の開口周辺部を上方へ膨出せしめ、この取付開口部の開口周辺部を前記打撃用筒体で上方から打撃して伏動変形させることにより、この取付開口部の開口径が縮小変形する構成としたことを特徴とする請求項１〜３のいずれか１項に記載の波形スレート屋根板に設ける屋根材取付装置。
【請求項５】
前記フレーム体の上部であって前記取付開口部の上方位置に架設部を設け、この架設部に前記打撃用筒体を挿通するガイド孔を形成し、このガイド孔に前記架設部の上方から打撃用筒体を挿通した際、この打撃用筒体の下端が前記取付開口部に臨設して打撃用筒体内と取付開口部とが連通状態となるようにガイド孔の形成位置と取付開口部の形成位置とのいずれか一方若しくは双方を設定構成して、打撃用筒体の下端を臨設させた状態の取付開口部に下方から前記フックボルト若しくは前記締付ナットを挿通すると、取付開口部と連通する打撃用筒体内にフックボルト若しくは締付ナットが挿通する構成としたことを特徴とする請求項１〜４のいずれか１項に記載の波形スレート屋根板に設ける屋根材取付装置。
【請求項６】
前記取付開口部は、前記フレーム体に対し位置を移動可能に構成したことを特徴とする請求項１〜５のいずれか１項に記載の波形スレート屋根板に設ける屋根材取付装置。
【発明の詳細な説明】
【技術分野】
【０００１】
本発明は、老朽化したスレート屋根の改修に用いる波形スレート屋根板に設ける屋根材取付装置に関するものである。
【背景技術】
【０００２】
スレート屋根の屋根板は、人体に有害なアスベストを含んでいる。そのため、老朽化して改修が必要となった際には、アスベストが飛散しないような改修を行わなければならない。
【０００３】
そこで、従来、老朽化した波形スレート屋根板を壊したり傷めたりすることなく、波形スレート屋根板を固定するためのフックボルトを利用して取付金具を波形スレート屋根板上に固定し、この取付金具を介して波形スレート屋根板の上から新設のカバールーフを設置する葺替構造が実施されている（特許文献１参照。）。
【０００４】
この特許文献１は、波形スレート板の山部を跨いでその両側の谷部上に略逆Ｕ字状の支持フレームを敷設し、該支持フレームには波形スレート板を固定している既存のボルトの上部が下方から圧入されて係止される圧入係止部と、新設のカバールーフを貫通して上方から打入されたドリルビスの下端を固定するドリルビス固定部とを備え、上記圧入係止部は、既存のボルトの上部の外径よりも小径の小孔部と、小孔部を中心とした放射状の切り込みによって上下に弾性変形可能となった複数の板状片とで形成され、複数の板状片は小孔部内に既存のボルトの上部が下方から圧入されたときに上方に向かって弾性変形してボルトの雄ねじ部に食い込んで下方に戻るのを防止するクイックナット機能を有している。
【０００５】
そして、この特許文献１によれば、支持フレームの圧入係止部を既存のボルトの上部に位置合わせして支持フレームを押し下げることで、圧入係止部を構成している複数の板状片がボルトによって上方に弾性変形して、板状片がボルトの雄ねじ部に食い込んで係止された状態となり、これにより、既存のボルトの上部に対して支持フレームを工具なしでワンタッチで取り付けでき、また、老朽化した波形スレート板を傷めることなく、新設のカバールーフを強固に取り付けることができる。
【０００６】
【特許文献１】特許第３５７７２３８号公報
【発明の開示】
【発明が解決しようとする課題】
【０００７】
上記特許文献１は、前記圧入係止部の複数の板状片が確実にボルトの雄ねじ部に食い込んで係止した状態を確保できるように、少なくともこの圧入係止部は高価なバネ材で構成する必要があり、コスト高であった。
【０００８】
本発明は、この特許文献１のような波形スレート屋根の葺替構造に用いる取付装置の改良に係るもので、安価に設計実現可能であると共に、ハンマーなどの打撃具を用いた打撃操作により簡単に且つ強固に既存のスレート屋根上に取付ることのできる画期的な波形スレート屋根板に設ける屋根材取付装置を提供するものである。
【課題を解決するための手段】
【０００９】
添付図面を参照して本発明の要旨を説明する。
【００１０】
屋根面を構成している既設の波形スレート屋根板１上に、被覆状態に屋根材２を設ける波形スレート屋根板に設ける屋根材取付装置であって、前記屋根材２を支持固定し得るフレーム体３を、前記波形スレート屋根板１上に載置し得るように構成し、このフレーム体３には、波形スレート屋根板１を固定している既存のフックボルト４若しくはフックボルト４に装着された締付ナット５を挿通する取付開口部６を備えると共に、この取付開口部６の開口径をフックボルト４の外径若しくは締付ナット５の外径よりも大径に設定し、この取付開口部６に挿通して取付開口部６より上方へ突出せしめた前記フックボルト４若しくは締付ナット５に被嵌する打撃用筒体７を備え、この打撃用筒体７の筒径を前記取付開口部６の開口径と同径若しくは取付開口部６の開口径より大径に設定して、このフックボルト４若しくは締付ナット５に被嵌した打撃用筒体７を下方へ打撃することにより、この打撃用筒体７で取付開口部６の開口周辺部を打撃して取付開口部６の開口径を縮小変形させ、この変形させた取付開口部６の開口縁がフックボルト４の外周面若しくは締付ナット５の外周面に係止若しくは圧接して抜け止めする構成としたことを特徴とする波形スレート屋根板に設ける屋根材取付装置に係るものである。
【００１１】
また、前記フレーム体３の上部であって前記取付開口部６の上方位置に架設部９を設け、この架設部９に前記打撃用筒体７を挿通するガイド孔10を形成し、このガイド孔10に打撃用筒体７を挿通した際、打撃用筒体７の上部が架設部９の上方に突出するように打撃用筒体７の長さ寸法を設定し、この架設部９より上方に突出する打撃用筒体７の上部に打撃部７Ａを設けて、この打撃部７Ａを、打撃用筒体７がガイド孔10に挿通ガイドされた状態で打撃し得るように構成したことを特徴とする請求項１記載の波形スレート屋根板に設ける屋根材取付装置に係るものである。
【００１２】
また、前記打撃用筒体７の長さ寸法を、この打撃用筒体７を前記フックボルト４若しくは前記締付ナット５に被嵌した際にこの打撃用筒体７の上方へフックボルト４の上端部若しくは締付ナット５の上端部が露出しない長さ寸法に設定したことを特徴とする請求項１，２のいずれか１項に記載の波形スレート屋根板に設ける屋根材取付装置に係るものである。
【００１３】
また、前記取付開口部６の開口周辺部を上方へ膨出せしめ、この取付開口部６の開口周辺部を前記打撃用筒体７で上方から打撃して伏動変形させることにより、この取付開口部６の開口径が縮小変形する構成としたことを特徴とする請求項１〜３のいずれか１項に記載の波形スレート屋根板に設ける屋根材取付装置に係るものである。
【００１４】
また、前記フレーム体３の上部であって前記取付開口部６の上方位置に架設部９を設け、この架設部９に前記打撃用筒体７を挿通するガイド孔10を形成し、このガイド孔10に前記架設部９の上方から打撃用筒体７を挿通した際、この打撃用筒体７の下端が前記取付開口部６に臨設して打撃用筒体７内と取付開口部６とが連通状態となるようにガイド孔10の形成位置と取付開口部６の形成位置とのいずれか一方若しくは双方を設定構成して、打撃用筒体７の下端を臨設させた状態の取付開口部６に下方から前記フックボルト４若しくは前記締付ナット５を挿通すると、取付開口部６と連通する打撃用筒体７内にフックボルト４若しくは締付ナット５が挿通する構成としたことを特徴とする請求項１〜４のいずれか１項に記載の波形スレート屋根板に設ける屋根材取付装置に係るものである。
【００１５】
また、前記取付開口部６は、前記フレーム体３に対し位置を移動可能に構成したことを特徴とする請求項１〜５のいずれか１項に記載の波形スレート屋根板に設ける屋根材取付装置に係るものである。
【発明の効果】
【００１６】
本発明は上述のように構成したから、単にフレーム体を波形スレート屋根板上に載置すると共に、取付開口部に既存のフックボルト若しくは締付ナットを挿通した上、この取付開口部より挿通突出してフレーム体より上方へ位置するフックボルトの上部若しくは締付ナットに打撃用筒体を被嵌してこの打撃用筒体を下方に打撃するだけの非常に簡単な作業により、フレーム体をフックボルト若しくは締付ナット（既存の波形スレート屋根）に抜け止めすることができるので、非常に作業効率良くフレーム体を既存のスレート屋根上に固定できて、このフレーム体を利用して屋根材を簡単に新設することができ、しかも、本発明は、取付開口部を打撃変形させてフックボルト若しくは締付ナットの外周面に係止若しくは圧接して抜け止めする装置構成としたため、素材の弾性を利用してフックボルトの雄ねじ部に食い込み係止させる前記特許文献１のように高価なバネ材を採用せずとも、安価な素材により取付開口部を構成可能で、コスト安に設計実現可能となるなど、極めて実用性に秀れた画期的な波形スレート屋根板に設ける屋根材取付装置となる。
【００１７】
また、請求項２記載の発明においては、ガイド孔により打撃用筒体を安定状態にガイドでき、この安定状態で架設部より上方に突出した打撃用筒体の打撃部を打撃することができるので、この打撃操作が一層容易に行われることになる極めて実用性に秀れた構成の波形スレート屋根板に設ける屋根材取付装置となる。
【００１８】
また、請求項３記載の発明においては、確実に且つ容易に打撃用筒体を打撃することができる一層作業性に秀れた構成の波形スレート屋根板に設ける屋根材取付装置となる。
【００１９】
また、請求項４記載の発明においては、前記作用・効果を確実に発揮する取付開口部を簡易に設計実現可能となる一層実用性に秀れた構成の波形スレート屋根板に設ける屋根材取付装置となる。
【００２０】
また、請求項５記載の発明においては、例えば、老朽化によりフックボルトが多少傾いていた場合でも、容易に取付開口部にフックボルトを挿通することができる一層実用性、作業性に秀れた構成の波形スレート屋根板に設ける屋根材取付装置となる。
【００２１】
また、請求項６記載の発明においては、例えば老朽化により傾いたフックボルトに対しても、取付開口部が位置を移動してフックボルトを最適な位置で挿通することができる一層実用性に秀れた構成の波形スレート屋根板に設ける屋根材取付装置となる。
【発明を実施するための最良の形態】
【００２２】
好適と考える本発明の実施形態（発明をどのように実施するか）を、図面に基づいて本発明の作用を示して簡単に説明する。
【００２３】
波形スレート屋根板１上にフレーム体３を載置し、この波形スレート屋根板１を固定している既存のフックボルト４若しくはフックボルト４に装着された締付ナット５をフレーム体３の取付開口部６に挿通する。
【００２４】
この際、取付開口部６は、その開口径がフックボルト４の外径若しくは締付ナット５の外径よりも大径であるため、フックボルト４若しくは締付ナット５を抵抗なくスムーズに挿通することができ、この挿通作業が非常に容易に行われる。
【００２５】
次いで、例えば、この取付開口部６に挿通して取付開口部６より上方へ突出せしめた前記フックボルト４若しくは締付ナット５に打撃用筒体７を被嵌し、この打撃用筒体７を下方へ打撃する。尚、打撃用筒体７は、予めフレーム体３に装備されていて、取付開口部６にフックボルト４若しくは締付ナット５を挿通した際同時にフックボルト４若しくは締付ナット５に打撃用筒体７が被嵌することとなるようにしてあっても良い。
【００２６】
すると、この打撃用筒体７は、その筒径を前記取付開口部６の開口径と同径若しくは取付開口部６の開口径より大径に設定してあるため、この打撃用筒体７で取付開口部６の開口周辺部を打撃することができ、この打撃により取付開口部６の開口径を縮小変形させてこの取付開口部６の開口縁をフックボルト４の外周面若しくは締付ナット５の外周面に係止若しくは圧接させることで、フックボルト４若しくは締付ナット５にフレーム体３を抜け止め状態とすることができる。
【００２７】
この際、取付開口部６の開口縁が例えばフックボルト４の螺子溝に非接触状態で位置することで抜け止め状態となるようにしても良い。尚、請求項１中の「取付開口部６の開口縁をフックボルト４の外周面若しくは締付ナット５の外周面に係止」なる記載は、例えば、取付開口部６の開口縁がフックボルト４外周面の螺子溝に食い込み係止しての抜け止め状態はもちろん、上記したような取付開口部６の開口縁がフックボルト４若しくは締付ナット５の外周面に対し非接触状態で抜け止め状態となるような場合をも含む意味合いで用いている。
【００２８】
次いで、このフックボルト４若しくは締付ナット５に固定したフレーム体３に屋根材２を支持固定することで、波形スレート屋根板１上に被覆状態に屋根材２が設けられる（葺替完了となる。）。
【００２９】
従って、取付開口部６にスレート屋根の既存のフックボルト４若しくは締付ナット５を挿通して波形スレート屋根板１上にフレーム体３を載置した上、この取付開口部６より挿通突出してフレーム体３より上方へ位置するフックボルト４の上部若しくは締付ナット５に打撃用筒体７を被嵌してこの打撃用筒体７を下方に打撃するだけの非常に簡単な作業でフレーム体３をフックボルト４若しくは締付ナット５（既存のスレート屋根）に抜け止め係止することができるので、既存の波形スレート屋根板１を傷めることなく、非常に作業効率良くフレーム体３を既存のスレート屋根に据付することができ、このフレーム体３を利用して屋根材２を簡単に新設（葺替）することができる。
【００３０】
また、本発明のように取付開口部６を打撃変形させてフックボルト４若しくは締付ナット５に抜け止め係止する装置構成によれば、素材の弾性を利用してフックボルト４の雄ねじ部に食い込み係止させる前記特許文献１のように、高価なバネ材を採用する必要がなく、安価な素材により取付開口部６を構成可能で、コスト安なフレーム体３を設計可能である。
【００３１】
また、例えば、前記フレーム体３の上部であって前記取付開口部６の上方位置に架設部９を設け、この架設部９に前記打撃用筒体７を挿通するガイド孔10を形成して、このガイド孔10に挿通した打撃用筒体７が架設部９の上方に突出する構成とし、この架設部９より上方に突出する打撃用筒体７の上部に打撃部７Ａを設けて、この打撃部７Ａを、打撃用筒体７がガイド孔10に挿通ガイドされた状態で打撃し得るように構成すれば、打撃用筒体７がガイド孔10に支えられて安定状態となり、この安定状態の打撃用筒体７の、架設部９より上方に突出した打撃部７Ａを打撃することができるので、この打撃操作が一層容易に行われることになる。
【００３２】
また、例えば、前記打撃用筒体７の長さ寸法を、この打撃用筒体７を前記フックボルト４若しくは前記締付ナット５に被嵌した際にこの打撃用筒体７の上方へフックボルト４の上端部若しくは締付ナット５の上端部が露出しない長さ寸法に設定すれば、打撃時にフックボルト４若しくは締付ナット５が邪魔とならず、フックボルト４若しくは締付ナット５を打撃してしまうようなことなく、確実に且つ容易に打撃用筒体７を打撃でき、一層作業性に秀れる。
【００３３】
また、例えば、前記フレーム体３の上部であって前記取付開口部６の上方位置に架設部９を設け、この架設部９に前記打撃用筒体７を挿通するガイド孔10を形成し、このガイド孔10に前記架設部９の上方から打撃用筒体７を挿通した際、この打撃用筒体７の下端が前記取付開口部６に臨設して打撃用筒体７内と取付開口部６とが連通状態となるようにガイド孔10の形成位置と取付開口部６の形成位置とのいずれか一方若しくは双方を設定構成して、打撃用筒体７の下端を臨設させた状態の取付開口部６に下方から前記フックボルト４若しくは前記締付ナット５を挿通すると、取付開口部６と連通する打撃用筒体７内にフックボルト４若しくは締付ナット５が挿通する構成とすれば、打撃用筒体７が実質的にフックボルト４の挿入ガイドとしても機能するので、例えば、老朽化などによりフックボルト４が多少傾いていたとしても、容易に取付開口部６にフックボルト４を挿通することができる。
【００３４】
また、例えば、前記取付開口部６は、前記フレーム体３に対し位置を移動可能に構成すれば、例えば、老朽化により傾いたフックボルト４に対しても、取付開口部６が位置を移動してフックボルト４を最適な位置で挿通することができる。
【実施例】
【００３５】
本発明の具体的な実施例について図面に基づいて説明する。
【００３６】
図示したスレート屋根は、フックボルト４を用いて屋根下地材11に固定されている。また、このフックボルト４は、波形スレート屋根板１の山部１Ａに貫通状態に固定されている。図中符号５は締付ナット、12はパッキン材である。
【００３７】
本実施例は、図１に示すように、この既設のスレート屋根に、このスレート屋根の上方をカバー（被覆）するように屋根材２を設ける屋根材取付装置であって、フレーム体３と、打撃用筒体７とから成る構成としている。
【００３８】
本実施例のフレーム体３は、図２，図３に示すように、板材を正面視略コ字状に屈曲形成して成り、両側の屈曲板部をスレート屋根１上に接地する脚部３Ａとしている。また、この脚部３Ａの先端を夫々対向内側に向けて略水平に屈曲し、更にこの屈曲先端を斜め上方へ向けて屈曲形成して、この両側の脚部３Ａの屈曲下端部を波形スレート屋根板１の谷部１Ｂに載置し得るように構成している。即ち、本実施例のフレーム体３は、図３に示すように、波形スレート屋根板１の山部１Ａを跨いで左右の脚部３Ａが谷部１Ｂに載置する構成としたものであり、この際、脚部３Ａの屈曲下端部が波形スレート屋根板１の谷部１Ｂの上面になじんで載置するように構成している。
【００３９】
また、このフレーム体３の略中心部には、波形スレート屋根板１を固定している既存のフックボルト４を挿通する取付開口部６を備えると共に、この取付開口部６の開口径をフックボルト４の外径よりも大径に設定している。
【００４０】
また、本実施例の打撃用筒体７は、所定長さの円筒体としている。
【００４１】
本実施例は、この取付開口部６に挿通して取付開口部６より上方へ突出せしめた前記フックボルト４に前記打撃用筒体７を被嵌すると共に、この打撃用筒体７の筒径を前記取付開口部６の開口径と同径若しくは取付開口部６の開口径より大径に設定して、このフックボルト４に被嵌した打撃用筒体７を下方へ打撃することによりこの打撃用筒体７で取付開口部６の開口周辺部を打撃して取付開口部６の開口径を縮小変形させて、この取付開口部６の開口縁がフックボルト４の外周面に抜け止め係止することでフックボルト４にフレーム体３を固定する構造としている。
【００４２】
具体的には、取付開口部６は、周辺部を上方へ膨出形成し、この膨出する取付開口部６の開口周辺部を打撃用筒体７で下方に打撃することで、開口径が縮小変形する構成としている。
【００４３】
更に詳しくは、フレーム体３の脚部３Ａ間の中間板部の略中心部に、フックボルト４より大径な貫通孔３Ｂを形成し、この貫通孔３Ｂを閉塞するようにしてフレーム体３の中間板部に板材13を重合し、この板材13の前記貫通孔３Ｂと重合する部位を、複数（図面では６枚）の板状片６Ａが放射方向から中心に向かって突出した形状に切欠形成している。
【００４４】
また、図４〜図６に示すように、この各板状片６Ａを斜め上方へ屈曲すると共に、各板状片６Ａの先端を略水平方向あるいはやや下方へ向けて屈曲形成し、且つ各板状片６Ａの先端間に前記フックボルト４の外径よりもやや大径なフックボルト４の挿通空隙６Ｂが形成される形状に形成して、周辺部（各板状片６Ａ）が上方へ膨出する前記取付開口部６を構成している。
【００４５】
そして、この各板状片６Ａの屈曲先端を前記打撃用筒体７の下縁で打撃する構造とし、この打撃により各板状片６Ａが伏動変形して各板状片６Ａの屈曲先端（取付開口部６の開口縁）間が接近して、結果取付開口部６の開口径が縮小する構成としている。
【００４６】
また、ここで打撃用筒体７について更に詳しく説明すると、図５，図６に示すように、筒外径を前記取付開口部６の開口径（挿通空隙６Ｂの径）よりもやや大径に設定して、この打撃用筒体７の下縁で前記各板状片６Ａの屈曲先端を上方から打撃し得るようにしている。
【００４７】
また、本実施例は、前記フレーム体３の上部であって前記取付開口部６の上方位置に架設部９を設け、この架設部９に前記打撃用筒体７を挿通するガイド孔10を形成している。
【００４８】
具体的には、長方形板の中程を上方に山形に屈曲形成して成るガイドフレーム19を、その中程の山形部を前記取付開口部６の略真上に位置させると共に両側板部をフレーム体３の上面部（前記板材13の上面部両側）に接地させて止着し、このガイドフレーム19の山形部を前記架設部９としてこの架設部９の上部平板部に、前記打撃用筒体７よりやや大径な円形のガイド孔10を貫通形成している。
【００４９】
また、このガイド孔10に、フックボルト４に被嵌した打撃用筒体７を挿通して打撃用筒体７の下端を取付開口部６に当接させた際に、打撃用筒体７が架設部９の上面より上方に突出することとなるように、この打撃用筒体７の長さ寸法並びに架設部９の高さ寸法を設定構成し、この架設部９より上方へ突出する打撃用筒体７の上縁を前記打撃部７Ａとしてこの打撃部７Ａをハンマーなどの打撃具17により打撃し得るように構成している。尚、本実施例では、円筒状の打撃用筒体７の上縁を打撃部７Ａとしたシンプルな構成を示したが、適宜な打撃部７Ａが打撃用筒体７の上部に突設される構成としても良い。
【００５０】
また、この際、この打撃用筒体７の上縁より上方へフックボルト４の上端部が露出することなく、確実に打撃用筒体７上縁の打撃部７Ａを打撃し得るように打撃用筒体７の長さ寸法を設定している（図６，図７参照。）。
【００５１】
また、本実施例では、図５に示すように、このガイド孔10に架設部９の上方から打撃用筒体７を挿通すると、打撃用筒体７の下端が前記取付開口部６に臨設状態となると共に、取付開口部６の上方にこの取付開口部６と打撃用筒体７内とを連通状態で配設し得るように設け、この取付開口部６に下方から前記フックボルト４を挿通すると、取付開口部６と連通する打撃用筒体７内にフックボルト４が挿通するように構成している。
【００５２】
従って、打撃用筒体７が実質的にフックボルト４の挿入ガイドとしても機能し、例えば、老朽化などにより多少傾いたフックボルト４であっても、容易に取付開口部６にフックボルト４を挿通し得るように構成している。
【００５３】
また、本実施例では、前記取付開口部６は、前記フレーム体３に対し位置を移動可能に設けている。
【００５４】
具体的には、取付開口部６を有する前記長方形板状の板材13をフレーム体３に対し移動可能に設けている。
【００５５】
更に詳しくは、図５〜図８に示すように、フレーム体３の上面部の前記貫通孔３Ｂの両側位置と、前記板材13の両側部と、前記ガイドフレーム19の両側板部とに合わせ孔14を貫通形成し、フレーム体３の上面部に前記板材13を重合し、この板材13上に前記ガイドフレーム19を重合して前記各合わせ孔14を位置合わせした上、この各合わせ孔に固定ピン15を挿通固定することにより、フレーム体３に対し板材13とガイドフレーム19とを一体的に固定した構造とし、また、板材13の合わせ孔14の孔径を固定ピン15の径よりも大径に設定して、この板材13（取付開口部６）がフレーム体３並びにガイドフレーム19に対し移動可能となるように構成している。これにより、例えば、図８に示すように、老朽化により傾いたフックボルト４に対しても、取付開口部６が位置を移動して最適な位置でフックボルト４を挿通することができるように構成している。
【００５６】
次に、具体的な施工方法を説明する。
【００５７】
例えば、予め、ガイド孔10に打撃用筒体７を挿通しておく（打撃用筒体７をフレーム体３に装着しておく。）。この打撃用筒体７は、その下縁が取付開口部６の各板状片６Ａの屈曲先端上に臨設当接して、取付開口部６と打撃用筒体７とが連通状態となると共に、ガイド孔10によって略立設状態に支持される。
【００５８】
波形スレート屋根板１の山部１Ａから突出している既存のフックボルト４をフレーム体３の取付開口部６に下方から挿通し（図４参照。）、この波形スレート屋根板１上の谷部１Ｂにフレーム体３の脚部３Ａを載置する（図３に示したような状態にフレーム体３を載置する。）。
【００５９】
この際、取付開口部６は、その開口径がフックボルト４の外径よりも大径であるため、この取付開口部６にフックボルト４を抵抗なくスムーズに挿通することができる。また、取付開口部６と連通する打撃用筒体７がフックボルト４の挿通開口部６への挿通ガイドとなり、取付開口部６より上方へ突出するフックボルト４に打撃用筒体７が被嵌することとなって、打撃用筒体７は、フックボルト４とガイド孔10とによって略立設状態で安定的に支持される。
【００６０】
尚、取付開口部６にフックボルト４を挿通してフレーム体３を波形スレート屋根板１上に載置した後、架設部９の上方からガイド孔10に打撃用筒体７を挿通して、この取付開口部６より上方へ突出するフックボルト４に打撃用筒体７を被嵌させるようにしても良い。
【００６１】
この略立設状態に支持された打撃用筒体７の上縁の打撃部７Ａを、図７に示すようにハンマーなどの打撃具17で下方へ打撃する。
【００６２】
すると、この打撃用筒体７は、その筒径を前記取付開口部６の開口径と同径若しくは取付開口部６の開口径より大径に設定してあるため、この打撃用筒体７の下縁が取付開口部６の開口周辺部、即ち各板状片６Ａの屈曲先端を上方から打撃することになり、この打撃により各板状片６Ａが下方へ伏動して各板状片６Ａの屈曲先端間が狭まり、取付開口部６の開口径が縮小変形し、この取付開口部６の開口縁たる各板状片６Ａの先端縁がフックボルト４の外周面に圧接係止することで、フックボルト４にフレーム体３が抜け止め状態（固定状態）となる（図３参照。）。従って、老朽化によりフックボルト４の螺子が消失している場合であっても、取付開口部６の開口縁をフックボルト４の外周面に圧接させることで強固な抜け止め状態にでき、螺子が残っている場合には、各板状片６Ａの先端縁が螺子溝に食い込み係止してより強固な抜け止め状態にできる。尚、取付開口部６の開口径が縮小することで、各板状片６Ａの先端縁が例えばフックボルト４の螺子山間の螺子溝に非接触状態で位置して抜け止め状態となるようにしても良い。
【００６３】
また、本実施例は、前記挿通空隙６Ｂの開口径をフックボルト４の径よりやや大径としたため、各板状片６Ａは図３，図７に示すように打撃変形後も先端側程上方へ位置する斜設状態となる構成である。そのため、フックボルト４に対してフレーム体３が上方へ抜け外れようとすると、斜設する各板状片６Ａは、下方へ伏動変形しようとするが、この変形は各板状片６Ａがフックボルト４の外周面に圧接することで阻止されるため、たとえ変形してもわずかである上、この変形によって板状片６Ａのフックボルト４への圧接力が増して極めて強固な抜け止め状態になる。よって、この強固に固定されるフレーム体３により、後述のようにして固定する屋根材２を強固な固定状態にできる構成としている。
【００６４】
次いで、このフックボルト４に固定したフレーム体３に、下地固定用フレーム16を固定し、この下地固定用フレーム16に葺替屋根用下地材８（桟材）を固定し、この葺替屋根用下地材８に屋根材２（本実施例では折版屋根材２を採用している。）を固定する（図１参照。）。即ち、本実施例では、フレーム体３に、下地固定用フレーム16，葺替屋根用下地材８を介して屋根材２を支持固定した場合を示している。
【００６５】
このような構成の本実施例によれば、取付開口部６を打撃変形させてフックボルト４に抜け止め係止する構成のため、素材の弾性を利用してフックボルト４の雄ねじ部に食い込み係止させる前記特許文献１のように、高価なバネ材を採用して取付開口部６を構成せずとも良く、安価な素材により取付開口部６を構成可能である。
【００６６】
尚、本実施例では、取付開口部６がフックボルト４に抜け止め係止する構成とした場合を示したが、取付開口部６が締付ナット５に抜け止め係止する構成としても良い。
【００６７】
また、本発明は、本実施例に限られるものではなく、各構成要件の具体的構成は適宜設計し得るものである。
【図面の簡単な説明】
【００６８】
【図１】本実施例の使用状態を示す説明斜視図である。
【図２】本実施例を示す斜視図である。
【図３】本実施例の使用状態を示す正断面図である。
【図４】本実施例の取付開口部を示す部分拡大説明図である。
【図５】本実施例のフレーム体の取付開口部をスレート屋根のフックボルトに挿通しようとする状態を示す部分拡大説明図である。
【図６】図５の状態を経て取付開口部をフックボルトに挿通した状態を示す部分拡大説明図である。
【図７】図６の状態を経て打撃用筒体を打撃具で打撃した状態を示す部分拡大説明図である。
【図８】本実施例の、傾いたフックボルトに対して据付した状態を示す部分拡大説明図である。
【符号の説明】
【００６９】
１  波形スレート屋根板
２  屋根材
３  フレーム体
４  フックボルト
５  締付ナット
６  取付開口部
７  打撃用筒体
７Ａ  打撃部
９  架設部
10  ガイド孔
【図１】
2007204958.tif 000003
【図２】
2007204958.tif 000004
【図３】
2007204958.tif 000005
【図４】
2007204958.tif 000006
【図５】
2007204958.tif 000007
【図６】
2007204958.tif 000008
【図７】
2007204958.tif 000009
【図８】
2007204958.tif 000010